(57)【要約】【課題】機能を選択して実行させるための操作手段又はその近傍が暗い場合でも、所望の機能を間違えることなく選択させて実行することのできる多機能処理装置を提供する。【解決手段】複数の機能から所望の機能を選択して処理する多機能処理装置において、異なる機能が割り当てられ、所望の機能を選択するために操作される操作手段３３と、操作手段３３の周辺の照度を検出する照度検出手段１８と、照度が所定値以下のとき、操作された操作手段３３に割り当てられた機能の説明を出力する出力手段２７と、操作された操作手段３３が再度操作されたとき、再度操作された操作手段３３に割り当てられた機能を実行する機能実行手段とを備える。【選択図】図１
2011159001.tif 000002
【特許請求の範囲】
【請求項１】
複数の機能から所望の機能を選択して処理する多機能処理装置において、
異なる機能が割り当てられ、所望の機能を選択するために操作される複数の操作手段と、
前記操作手段の周辺の照度を検出する照度検出手段と、
前記照度が所定値以下のとき、操作された前記操作手段に割り当てられた機能の説明を出力する出力手段と、
操作された前記操作手段が再度操作されたとき、再度操作された前記操作手段に割り当てられた機能を実行する機能実行手段と、
を備えることを特徴とする多機能処理装置。
【請求項２】
前記操作手段が操作されてから前記操作手段が再度操作されるまでの時間を計測する計時手段を備え、前記機能実行手段は、前記時間が所定時間以内のとき、再度操作された前記操作手段に割り当てられた機能を実行することを特徴とする請求項１記載の多機能処理装置。
【請求項３】
前記出力手段は、前記所定時間が経過した後、前記操作手段が再度操作されたとき、再度操作された前記操作手段に割り当てられた機能の確認を出力することを特徴とする請求項２記載の多機能処理装置。
【請求項４】
前記操作手段は、前記機能実行手段を選択するための機能選択信号を出力するリモートコントローラを構成することを特徴とする請求項１〜３のいずれか１項に記載の多機能処理装置。
【発明の詳細な説明】
【技術分野】
【０００１】
本発明は、多機能処理装置に関し、特に、操作手段の操作に従い、複数の機能から所望の機能を選択して処理する多機能処理装置に関する。
【背景技術】
【０００２】
例えば、車両に搭載されて経路案内を行うカーナビゲーション装置が広範に利用されている。カーナビゲーション装置では、ＧＰＳ衛星等から取得した情報に従って車両の現在位置を算出し、現在位置から利用者が入力した目的地までの案内経路を地図情報に従って探索し、探索された案内経路をディスプレイに表示させることができる。この場合、利用者は、表示された案内経路に従い、目的地まで円滑に移動することができる。出発地として現在位置を用いることなく、利用者が入力手段から任意、所望の地点を入力して出発地とすることもできる。
【０００３】
ところで、昨今のカーナビゲーション装置には、案内経路を求めて表示する機能だけでなく、ＤＶＤ等に記憶された動画を音声とともに再生する機能、受信したテレビ番組を表示する機能、ＣＤやハードディスク等に記憶された楽曲を再生する機能、離れた場所にいる人と会話をする電話機能等、多数の機能が搭載されている。これらの機能は、カーナビゲーション装置の操作ボタン、あるいは、リモートコントローラの操作ボタンを操作することで選択される。同様に、楽曲のボリュームや音質等も操作ボタンの操作によって調整することができる。なお、カーナビゲーション装置に限らず、携帯電話やＰＤＡ（Personal Digital Assistants）等の携帯端末においても、多機能化が進んでいる。
【０００４】
これらの多機能処理装置には、異なる機能が割り当てられ、所望の機能を選択するために操作される複数の操作ボタンが設けられている。この場合、例えば、夜間の車内や、暗い場所等で操作ボタンを操作するとき、操作ボタンの位置を正しく認識することができないため、所望の機能とは異なる機能が割り当てられた操作ボタンを誤って操作してしまうおそれがある。
【０００５】
そこで、例えば、特許文献１（特開平８−７９３５６号公報）には、視力に障害のある利用者が操作ボタンを操作したとき、その操作ボタンに対応する音声を出力させることにより、操作された操作ボタンが適切なものであるか否かを利用者が確認することのできる電話ダイヤル音声装置が開示されている。
【先行技術文献】
【特許文献】
【０００６】
【特許文献１】特開平８−７９３５６号公報（段落［００２０］）
【発明の概要】
【発明が解決しようとする課題】
【０００７】
しかしながら、特許文献１に開示された先行技術は、利用者が電話ダイヤルを操作する際に、正しいダイヤル番号が選択されたか否かを音声で確認できるだけである。従って、誤ったダイヤル番号が選択されたことを確認できたとしても、電話機をそのままの状態にしておくと、誤った相手に繋がってしまう。このような事態を回避するためには、ダイヤル番号を誤って選択したことを確認した時点で、利用者が電話機を切断する操作が必要である。
【０００８】
また、特許文献１に開示された先行技術を、上述したカーナビゲーション装置等の多機能処理装置に適用した場合、操作ボタンを操作して機能を選択したとき、利用者は、その機能の説明を音声によって確認することができる。しかしながら、機能を確認できるだけであるため、選択された機能が所望の機能でない場合であっても、その機能がそのまま実行されてしまう。
【０００９】
本発明は、上記の問題点を解消することを課題とするものであり、機能を選択して実行させるための操作手段の周辺が暗い場合であっても、所望の機能を間違えることなく選択させて実行することのできる多機能処理装置を提供することを目的とするものである。
【課題を解決するための手段】
【００１０】
前記の課題を解決するために、本願の請求項１にかかる発明は、複数の機能から所望の機能を選択して処理する多機能処理装置において、異なる機能が割り当てられ、所望の機能を選択するために操作される複数の操作手段と、前記操作手段の周辺の照度を検出する照度検出手段と、前記照度が所定値以下のとき、操作された前記操作手段に割り当てられた機能の説明を出力する出力手段と、操作された前記操作手段が再度操作されたとき、再度操作された前記操作手段に割り当てられた機能を実行する機能実行手段と、を備えることを特徴とする。
【００１１】
本願の請求項２にかかる発明は、請求項１記載の多機能処理装置において、前記操作手段が操作されてから前記操作手段が再度操作されるまでの時間を計測する計時手段を備え、前記機能実行手段は、前記時間が所定時間以内のとき、再度操作された前記操作手段に割り当てられた機能を実行することを特徴とする。
【００１２】
本願の請求項３にかかる発明は、請求項２記載の多機能処理装置において、前記出力手段は、前記所定時間が経過した後、前記操作手段が再度操作されたとき、再度操作された前記操作手段に割り当てられた機能の確認を出力することを特徴とする。
【００１３】
本願の請求項４にかかる発明は、請求項１〜３のいずれか１項に記載の多機能処理装置において、前記操作手段は、前記機能実行手段を選択するための機能選択信号を出力するリモートコントローラを構成することを特徴とする。
【発明の効果】
【００１４】
請求項１にかかる発明においては、複数の機能から所望の機能を選択して処理する多機能処理装置において、異なる機能が割り当てられ、所望の機能を選択するために操作される複数の操作手段と、前記操作手段の周辺の照度を検出する照度検出手段と、前記照度が所定値以下のとき、操作された前記操作手段に割り当てられた機能の説明を出力する出力手段と、操作された前記操作手段が再度操作されたとき、再度操作された前記操作手段に割り当てられた機能を実行する機能実行手段と、を備える。
【００１５】
このような構成によれば、操作手段の周辺が暗い場合、利用者によって操作された操作手段に割り当てられた機能の説明が出力されるため、利用者は、選択された機能が所望の機能であるか否かを確認することができる。そして、その機能が所望の機能である場合、再度、同じ操作手段を操作した時点で当該機能が実行される。従って、異なる機能が割り当てられた複数の操作手段の位置を確認できない暗い場所であっても、利用者は、所望の機能を選択して実行させることができる。また、選択された機能が所望の機能でない場合には、同じ操作手段を操作しない限り、利用者が望んでいない機能が実行されることはない。
【００１６】
請求項２にかかる発明においては、請求項１にかかる発明において、前記操作手段が操作されてから前記操作手段が再度操作されるまでの時間を計測する計時手段を備え、前記機能実行手段は、前記時間が所定時間以内のとき、再度操作された前記操作手段に割り当てられた機能を実行する。このような構成によれば、出力された機能の説明に基づいて利用者が選択した機能を速やかに実行することができる。
【００１７】
請求項３にかかる発明においては、請求項２にかかる発明において、前記出力手段は、前記所定時間が経過した後、前記操作手段が再度操作されたとき、再度操作された前記操作手段に割り当てられた機能の確認を出力する。このような構成によれば、選択された機能について、利用者に再考させることができる。
【００１８】
請求項４にかかる発明においては、請求項１〜３のいずれか１項にかかる発明において、前記操作手段は、前記機能実行手段を選択するための機能選択信号を出力するリモートコントローラとすることができる。
【図面の簡単な説明】
【００１９】
【図１】本発明の実施例にかかるナビゲーション装置及びそれを操作するリモートコントローラの要部構成を示すブロック図である。
【図２】本発明の実施例にかかるナビゲーション装置及びリモートコントローラにおける処理フローチャートである。
【発明を実施するための形態】
【００２０】
以下、本発明の具体例を実施例及び図面を用いて詳細に説明する。但し、以下に示す実施形態は、本発明の技術的思想を具体化するための多機能処理装置を例示するものであって、本発明をこの多機能処理装置に特定することを意図するものではなく、特許請求の範囲に含まれるその他の実施形態の多機能処理装置にも等しく適応し得るものである。
【実施例】
【００２１】
図１は、本発明の実施例にかかる多機能処理装置であるナビゲーション装置１０及びそれを操作するリモートコントローラ１１の要部構成を示すブロック図である。ナビゲーション装置１０は、リモートコントローラ１１を用いて赤外線通信によりリモート操作される。
【００２２】
ナビゲーション装置１０は、以下に説明する実施例では、車両に搭載されて、利用者に目的地までの経路案内を行う機能を有するとともに、動画再生及び楽曲再生の機能を併せ持っているものとする。なお、ナビゲーション装置１０は、ユーザが所持する携帯電話やＰＤＡ等の携帯端末とし、徒歩や電車、バス等の交通機関を利用して移動する際における経路案内や目的地の関連情報を提供するとともに、動画、楽曲、テレビ等を視聴できるものであってもよい。
【００２３】
ナビゲーション装置１０は、制御手段１３を備える。制御手段１３は、ＣＰＵ１４、ＲＯＭ１５、ＲＡＭ１６からなるプロセッサで構成され、ＲＯＭ１５、ＲＡＭ１６に記録された制御プログラムに従ってナビゲーション装置１０の各部の動作を制御する。
【００２４】
現在位置検出手段１７は、地球上空を周回している複数のＧＰＳ衛星から時刻情報及び位置情報を含む電波を受信するＧＰＳ受信機等で構成される。３個以上のＧＰＳ衛星からの電波を受信して処理することにより、車両の現在位置を算出することができる。また、現在位置検出手段１７は、距離センサ、方位センサ、舵角センサ等からなる自立航法装置を用いることもできる。
【００２５】
照度検出手段１８は、ナビゲーション装置１０やリモートコントローラ１１の周辺における照度を検出する。
【００２６】
計時手段１９は、リモートコントローラ１１の後述する複数の操作ボタン３３の１つが操作されてから、同じ操作ボタン３３が再度操作されるまでの時間を計測する。
【００２７】
経路探索手段２０は、利用者が後述する入力手段２５を用いて目的地を入力することにより、後述する情報記憶手段２３に記憶された地図情報を参照し、現在位置又は利用者によって指定された出発地から目的地に至る最適な案内経路を探索するものであり、機能実行手段の１つである。なお、経路探索手段２０は、外部の図示しない情報配信サーバから、最新の地図情報を、ネットワークを経由して取得するように構成してもよい。
【００２８】
案内経路の探索は、現在位置又は出発地に対応する道路ノードから目的地に対応する道路ノードに至るリンクとノードをダイクストラ法等の各種の手法によって探索し、リンク長（リンクコスト）や所要時間等を累積し、総リンク長（走行距離）又は総所要時間等が最短となる経路を案内経路とし、当該経路に属する道路ノードやリンクを案内経路データとして提供するものである。
【００２９】
動画再生手段２１は、ＤＶＤ、ＲＡＭ１６、図示しないハードディスク、情報記憶手段２３等に記憶された動画を再生する機能実行手段の１つである。
【００３０】
楽曲再生手段２２は、ＣＤ、ＲＡＭ１６、図示しないハードディスク、情報記憶手段２３等に記憶された楽曲を再生する機能実行手段の１つである。
【００３１】
情報記憶手段２３は、経路探索のための地図情報、施設情報、交通機関の時刻情報及び乗り換え情報等を記憶するとともに、必要に応じて、動画再生手段２１によって再生される動画情報、楽曲再生手段２２によって再生される楽曲情報等を記憶する。地図情報としては、道路の分岐地点等の結節点をノードとする道路ノードデータ、それぞれのノード間を結ぶ経路をリンクとした道路リンクデータ、地形図データが含まれる。また、情報記憶手段２３は、利用者によって選択されたナビゲーション装置１０の機能の説明や、機能の実行を確認するためのテキストデータ、音声データ、又は、画像データを記憶する。
【００３２】
道路ノードデータには、道路ノード番号、位置座標、接続リンク本数、分岐地点名称等が含まれる他、分岐地点から所定距離だけ離れた案内地点において、右左折、直進等の経路案内を行う経路案内データ及び案内地点の位置座標が記憶されている。
【００３３】
道路リンクデータには、始点及び終点となる道路ノード番号、道路種別、ノード間の距離情報であるリンク長（リンクコスト）、所要時間、車線数、車道幅などが含まれる。道路リンクデータには、さらに、リンク属性として橋、トンネル、踏切、料金所等のデータが付与される。道路種別とは、高速道路や有料道路の別、国道や都道府県道等の別を含む情報である。
【００３４】
地形図データには、海岸線、湖沼、河川形状などの水系データ、行政境界データ、駐車場をはじめとする施設位置、施設形状、施設名称を含む施設データからなる背景データが含まれる。
【００３５】
赤外線信号受信手段２４は、リモートコントローラ１１の後述する赤外線信号発信手段３２から送信される機能選択信号を受信する。
【００３６】
入力手段２５は、ナビゲーション装置１０における操作入力や、出発地、目的地、情報を検索するための検索条件等を設定する各種キー、タッチパネル等から構成される。入力手段２５は、リモートコントローラ１１の後述する操作ボタン３３と同等の機能を有し、ナビゲーション装置１０に対して各種情報を直接入力することが可能である。この場合、入力手段２５は、操作手段として機能する。
【００３７】
機能報知処理手段２６は、利用者が入力手段２５やリモートコントローラ１１の操作ボタン３３を操作した際に、選択されたナビゲーション装置１０の機能にかかる説明や、機能の実行の確認等を、出力手段２７を用いて報知を行う。
【００３８】
出力手段２７は、地図画像、案内経路、施設の写真やテキストからなる施設情報等を表示し、又は、これらの情報及び警告を含む音声情報を出力するものであり、液晶ディスプレイ、スピーカ等で構成される。また、出力手段２７は、機能報知処理手段２６による処理結果である機能の説明や機能の実行の確認を表示し、又は、これらを音声として出力する。
【００３９】
リモートコントローラ１１は、制御手段２８を備える。制御手段２８は、ＣＰＵ２９、ＲＯＭ３０、ＲＡＭ３１からなるプロセッサで構成され、ＲＯＭ３０、ＲＡＭ３１に記録された制御プログラムに従ってリモートコントローラ１１の各部の動作を制御する。
【００４０】
赤外線信号発信手段３２は、ナビゲーション装置１０の赤外線信号受信手段２４に対して、複数の操作ボタン３３の１つを操作することで生成された機能選択信号を発信する。
【００４１】
操作ボタン３３は、ナビゲーション装置１０が備える異なる複数の機能の１つを選択するための複数の操作手段であり、各操作ボタン３３に対して所望の機能が割り当てられる。
【００４２】
ボタン識別手段３４は、利用者によってどの操作ボタン３３が操作されたのかを識別するものであり、操作ボタン３３毎の機能選択信号を生成する。
【００４３】
信号発信処理手段３５は、ボタン識別手段３４によって生成された機能選択信号を、赤外線信号発信手段３２を介してナビゲーション装置１０に発信する処理を行う。
【００４４】
本実施例にかかるナビゲーション装置１０においては、操作手段３３の周辺の照度を検出する照度検出手段１８を有し、照度が所定値以下のとき、操作された操作手段３３に割り当てられた機能の説明を音声出力し、操作された操作手段３３が再度操作されたとき、再度操作された操作手段３３に割り当てられた機能を実行するようにしたものである。これにより、異なる機能が割り当てられた複数の操作手段の位置を確認できない暗い場所であっても、利用者は、所望の機能を選択して実行させることができる。また、選択された機能が所望の機能でない場合には、同じ操作手段を操作しない限り、その機能が実行されることはない。
【００４５】
次に、図２に示す処理フローチャートに基づき、本実施例のナビゲーション装置１０の動作を説明する。なお、ナビゲーション装置１０は、車両に搭載されており、リモートコントローラ１１は、当該車両内でナビゲーション装置１０を操作するものとして説明する。
【００４６】
利用者がリモートコントローラ１１の操作ボタン３３の１つを選択して操作すると（ステップＳ１０１、ＹＥＳ）、ボタン識別手段３４は、操作された操作ボタン３３を識別し、その操作ボタン３３に割り振られている機能に対応した機能選択信号を生成する。生成された機能選択信号は、信号発信処理手段３５により処理され、赤外線信号発信手段３２を介してナビゲーション装置１０の赤外線信号受信手段２４に発信される。
【００４７】
リモートコントローラ１１から赤外線信号受信手段２４を介して機能選択信号を受信したナビゲーション装置１０における制御手段１３は、照度検出手段１８を制御し、ナビゲーション装置１０及びリモートコントローラ１１が装備された車両内の照度、すなわち、操作手段３３の周辺の照度を検出する（ステップＳ１０２）。
【００４８】
次いで、制御手段１３は、検出された車両内の照度を、ＲＯＭ１５等に予め記憶させた所定値と比較し、照度が所定値以下であると判定した場合（ステップＳ１０３、ＹＥＳ）、機能報知処理手段２６を制御して、利用者が操作した操作ボタン３３の機能の報知処理を行う（ステップＳ１０４）。すなわち、機能報知処理手段２６は、利用者が操作した操作ボタン３３に対応する機能選択信号に基づき、選択された当該機能を説明するためのテキストデータ、音声データ、又は、画像データを情報記憶手段２３から読み出し、出力手段２７を介して当該機能を説明する報知処理を行う。
【００４９】
例えば、利用者が操作した操作ボタン３３が、経路探索手段２０を用いて経路探索処理を行う機能を選択するものである場合、「経路探索を行います」といった音声案内や、経路探索モードが選択されたことを示す画像表示を行うことができる。動画再生手段２１や楽曲再生手段２２の機能実行手段が選択された場合においても、同様にして、音声案内や画像表示を行うことができる。
【００５０】
利用者は、報知された機能の説明に基づき、操作した操作ボタン３３に割り当てられている機能が、自分の選択しようとした機能であるか否かを判断することができる。この場合、機能説明の報知は、車内の照度が所定値以下であり、利用者がリモートコントローラ１１の操作ボタン３３の位置を明確に視認できないような状態において行われる。従って、利用者は、暗い場所での誤った操作ボタン３３の操作により誤った機能が選択されているか否かを知ることができる。
【００５１】
次に、ステップＳ１０４で報知された機能が利用者の所望する機能である場合、利用者は、同じ操作ボタン３３を再度操作する。同じ操作ボタン３３を操作することは、前回の操作からの経過時間が短ければ、殆ど問題なく行うことができる。
【００５２】
再度同じ操作ボタン３３が操作されたとき（ステップＳ１０５、ＹＥＳ）、計時手段１９は、ステップＳ１０１で操作ボタン３３が操作され、ステップＳ１０５で再度同じ操作ボタン３３が操作されるまでの時間を計測する。計測された時間が所定時間以内であるとき（ステップＳ１０６、ＮＯ）、制御手段１３は、選択された機能実行手段に対して機能の実行を指示する。指示された機能実行手段は、制御手段１３の指示に従って所定の機能を実行する（ステップＳ１０７）。
【００５３】
この場合、操作ボタン３３を操作した後、その操作ボタン３３の機能説明を確認し、所定時間以内に再度同じ操作ボタン３３を操作することで、所望の機能が実行される。従って、例えば、操作ボタン３３の操作ミスで不適切な機能が選択された場合、その後の機能説明により誤った操作ボタン３３を操作したことが容易に分かるため、続けて同じ操作ボタン３３を操作しない限り、利用者の望んでいない機能が実行されることはない。
【００５４】
一方、ステップＳ１０１で操作ボタン３３が操作され、ステップＳ１０５で再度同じ操作ボタン３３が操作されるまでの時間が所定時間を経過しているとき（ステップＳ１０６、ＹＥＳ）、制御手段１３は、機能報知処理手段２６を制御し、選択された機能を確認するためのテキストデータ、音声データ、又は、画像データを情報記憶手段２３から読み出し、出力手段２７を介して機能確認の報知処理を行う（ステップＳ１０８）。
【００５５】
例えば、利用者が操作ボタン３３を操作してから所定時間経過後に再度操作ボタン３３が操作された場合、利用者による操作ボタン３３の操作ミスが生じている可能性があるため、「押し間違えですか？」といった音声等による確認を行うことができる。この確認のための出力により、利用者は、操作を継続するか、異なる操作を行うかを再考することができる。
【００５６】
なお、ステップＳ１０８での確認の報知処理に従い、利用者が所定時間内に再度同じ操作ボタン３３を操作すれば（ステップＳ１０５、ＹＥＳ及びステップＳ１０６、ＮＯ）、その機能が確定して処理が実行される（ステップＳ１０７）。
【００５７】
また、利用者が操作ボタン３３を再度操作しない場合であって（ステップＳ１０５、ＮＯ）、ナビゲーション装置１０の電源がＯＦＦにされていれば、当然全ての処理が終了する（ステップＳ１０９、ＹＥＳ）。また、ナビゲーション装置１０の電源がＯＮであるときには、ステップＳ１０１からの処理が繰り返される（ステップＳ１０９、ＮＯ）。
【００５８】
さらに、照度検出手段１８により検出された車内の照度、すなわち、操作手段３３の周辺の照度が所定値よりも高い場合には（ステップＳ１０３、ＮＯ）、リモートコントローラ１１の操作ボタン３３の位置を容易に視認することができるため、操作ボタン３３の一度の操作によって選択された機能が確定し、その機能が実行される（ステップＳ１０７）。
【００５９】
以上、詳細に説明したように、本実施例のナビゲーション装置１０及びリモートコントローラ１１によれば、暗い場所でリモートコントローラ１１を操作して所望の機能を実行させる際、利用者が操作した操作ボタン３３に割り当てられている機能にかかる説明が出力されるため、その説明に基づいて、適切な機能が選択されたか否かを破断することができる。また、当該説明を確認した後、再度操作ボタン３３が操作されるまでは、選択された機能が実行されることがない。従って、利用者は、所望の機能のみを確実に実行させることができる。
【００６０】
なお、本発明は、上述した実施例に限定されるものではなく、本発明の要旨を逸脱しない範囲で変更することが可能である。
【００６１】
例えば、照度検出手段１８は、ナビゲーション装置１０に接続されているものとして説明したが、操作ボタン３３を備えたリモートコントローラ１１に設けられていてもよい。
【００６２】
また、本発明の多機能処理装置は、車両に搭載されたナビゲーション装置１０に限られるものではなく、例えば、携帯電話やＰＤＡ等の携帯端末にも同様にして適用することができる。例えば、バックライト機能を備えていない携帯端末を操作する場合において、利用者が操作した操作手段の機能を音声によって報知させることにより、操作手段を見ることなく所望の機能を間違えることなく選択することができる。
【符号の説明】
【００６３】
１０・・・ナビゲーション装置
１１・・・リモートコントローラ
１３、２８・・・制御手段
１４、２９・・・ＣＰＵ
１５、３０・・・ＲＯＭ
１６、３１・・・ＲＡＭ
１７・・・現在位置検出手段
１８・・・照度検出手段
１９・・・計時手段
２０・・・経路探索手段
２１・・・動画再生手段
２２・・・楽曲再生手段
２３・・・情報記憶手段
２４・・・赤外線信号受信手段
２５・・・入力手段
２６・・・機能報知処理手段
２７・・・出力手段
３２・・・赤外線信号発信手段
３３・・・操作ボタン
３４・・・ボタン識別手段
３５・・・信号発信処理手段
【図１】
2011159001.tif 000003
【図２】
2011159001.tif 000004